(57)【要約】【課題】磨耗粉の記録テープへの付着を防止できるテープカートリッジを提供する。【解決手段】本発明のテープカートリッジは、有底円筒状のハブ８ａと円盤状の一対のフランジ７、８とを有するテープリール３０と、不使用時にはリールバネ３によってハブ８ａの底部側に押圧されることにより、テープリール３０が回転しないようにロックするリールロック４と、使用時にはリールロック４をハブ８ａの開口側に移動させてテープリール３０のロックを解除するリリースパッド６と、を備え、リールロック４にはピボット部４ａが設けられ、リリースパッド６には摺接面６ａが設けられ、使用時にはピボット部４ａと摺接面６ａとが摺接するテープカートリッジである。さらに、ピボット部４ａと摺接面６ａとの摺接部分を囲む空間が形成されるように、リールロック４には円筒状リブ４ｂが設けられ、リリースパッド６には円筒状リブ４ｂが挿入される円形の溝が設けられている。【選択図】図３
2010198683.tif 000002
【特許請求の範囲】
【請求項１】
記録テープが巻回される有底円筒状のハブと、前記ハブの両端部の各々から径方向に張り出された円盤状の一対のフランジとを含み、ケース内に回転可能に収納されるテープリールと、
前記ハブの内部空間に前記テープリールの中心軸方向に移動可能なように配置され、不使用時には弾性部材によって前記ハブの底部側に押圧されることにより前記テープリールが回転しないようにロックするリールロックと、
前記リールロックと前記ハブの底部との間に前記テープリールの中心軸方向に移動可能なように配置され、使用時には前記リールロックを前記ハブの開口側に移動させて前記テープリールのロックを解除するリリースパッドと、を含み、
前記リールロックと前記リリースパッドとの対向面のうち、いずれか一方の対向面にはピボット部が設けられ、他方の対向面には摺接面が設けられ、使用時には前記ピボット部と前記摺接面とが摺接するテープカートリッジであって、
前記ピボット部と前記摺接面との摺接部分を囲む空間が形成されるように、前記リールロック及び前記リリースパッドのいずれか一方の部材の他方の部材との対向面には、前記他方の部材に達するが前記他方の部材を貫通しない長さを有する円筒状リブが設けられ、前記他方の部材の前記一方の部材との対向面には、前記円筒状リブが挿入される円形の溝が設けられていることを特徴とするテープカートリッジ。
【請求項２】
前記円形の溝の外周側でかつ前記溝に隣接する位置に、当該溝が形成された部材に対向する部材に達しない長さを有する第２の円筒状リブが設けられている請求項１に記載のテープカートリッジ。
【請求項３】
前記円筒状リブと前記円形の溝との間にクリアランスを設けた請求項１または２に記載のテープカートリッジ。
【発明の詳細な説明】
【技術分野】
【０００１】
本発明は、記録テープが巻回されたテープリールを回転可能に収納したテープカートリッジに関する。
【背景技術】
【０００２】
コンピュータ等のデータをバックアップするための外部記録媒体として、ＬＴＯ（Ｌｉｎｅａｒ−Ｔａｐｅ−Ｏｐｅｎ）規格に準拠したテープカートリッジが知られている（たとえば、特許文献１）。従来のテープカートリッジの一例を図６を用いて説明する。図６は、テープカートリッジの断面図である。
【０００３】
図６に示すテープカートリッジは、テープリール１１０を回転可能にケース１００内に収納している。ケース１００は、上ケース１０１及び下ケース１０２からなる箱状体である。テープリール１１０は、記録テープが巻回される有底円筒状のハブ１１２ａと、ハブ１１２ａの底部の内側面（上ケース１０１側の主面）に設けられたロック歯１１２ｂと、ハブ１１２ａの両端部の各々から径方向に張り出された円盤状の一対の上下フランジ１１１、１１２とを有する。ハブ１１２ａ及びロック歯１１２ｂは、下フランジ１１２と一体成形されている。ハブ１１２ａの底部の外側面（下ケース１０２側の主面）には、リールギア１０７が形成されている。ハブ１１２ａの内側の空洞部分には、リールバネ１０３、リールロック１０４及びリリースパッド１０６が収容されている。リールロック１０４及びリリースパッド１０６は、テープリール１１０の中心軸方向に移動可能である。リールロック１０４の底部の外側面（下ケース１０２側の主面）において、中央部には球面状のピボット部１０４ａが形成され、外周部にはロック歯１０４ｂが形成されている。リリースパッド１０６のリールロック１０４との対向面には、リールロック１０４のピボット部１０４ａと当接する凸状の摺接面１０６ａが形成されている。
【０００４】
以上の構成を有するテープカートリッジは、不使用時には、図６に示すように、リールバネ１０３によってリールロック１０４がハブ１１２ａの底部側（下ケース１０２側）に押圧され、リールロック１０４はテープリール１１０を下ケース１０２側に押圧する。このとき、リールロック１０４のロック歯１０４ｂと下フランジ１１２のロック歯１１２ｂとが係合するため、テープリール１１０は回転しないようにロックされる。
【０００５】
一方、使用時には、ドライブ装置の駆動ギア（図示せず）をリールギア１０７に噛合させ、駆動ギアと噛合した状態でリールギア１０７をハブ１１２ａの開口側（上ケース１０１側）へと押し上げると、まず、リリースパッド１０６及びリールロック１０４がハブ１１２ａの開口側へ移動してテープリール１１０が上ケース１０１側へと押し上げられ、さらに上記リールギア１０７をハブ１１２ａの開口側へと押し上げると、リールロック１０４のロック歯１０４ｂと下フランジ１１２のロック歯１１２ｂとが離れ、テープリール１１０のロックが解除される。そして、ドライブ装置の駆動ギア（図示せず）をリールギア１０７に噛合させた状態で回転駆動させると、テープリール１１０がリリースパッド１０６と共に回転する。このとき、リリースパッド１０６の摺接面１０６ａがリールロック１０４のピボット部１０４ａと摺接するため、テープカートリッジを長期に渡って使用すると、リールロック１０４のピボット部１０４ａとリリースパッド１０６の摺接面１０６ａとの摺接部分が磨耗する。
【０００６】
そこで、磨耗及び摩擦の低減策として、リリースパッド１０６の摺接面１０６ａに金属板を貼り付ける方法（特許文献２）や、摺接面１０６ａにグリスなどの潤滑剤を塗布する方法が提案されている。
【先行技術文献】
【特許文献】
【０００７】
【特許文献１】特開２０００−３３９９１１号公報
【特許文献２】特開平１１−２７３３０７号公報
【発明の概要】
【発明が解決しようとする課題】
【０００８】
上記磨耗及び摩擦の低減策として提案されている方法は、摩擦及び磨耗によりリールロックとリリースパッドとの摺接が不安定になってリールロックが傾くのを防止し、リール走行性の安定を図るものであるが、磨耗粉の発生自体を無くすことはできない。発生した磨耗粉が磁気テープ表面に付着すると、ドロップアウトの増加等の品質への影響や、ドライブ側のヘッドを傷付ける等の問題が生じるため、磨耗粉の飛散防止策が必要である。
【０００９】
本発明は、上記磨耗粉の磁気テープへの付着を軽減できるテープカートリッジを提供する。
【課題を解決するための手段】
【００１０】
本発明のテープカートリッジは、記録テープが巻回される有底円筒状のハブと、前記ハブの両端部の各々から径方向に張り出された円盤状の一対のフランジとを含み、ケース内に回転可能に収納されるテープリールと、前記ハブの内部空間に前記テープリールの中心軸方向に移動可能なように配置され、不使用時には弾性部材によって前記ハブの底部側に押圧されることにより前記テープリールが回転しないようにロックするリールロックと、前記リールロックと前記ハブの底部との間に前記テープリールの中心軸方向に移動可能なように配置され、使用時には前記リールロックを前記ハブの開口側に移動させて前記テープリールのロックを解除するリリースパッドと、を含み、前記リールロックと前記リリースパッドとの対向面のうち、いずれか一方の対向面にはピボット部が設けられ、他方の対向面には摺接面が設けられ、使用時には前記ピボット部と前記摺接面とが摺接するテープカートリッジであって、前記ピボット部と前記摺接面との摺接部分を囲む空間が形成されるように、前記リールロック及び前記リリースパッドのいずれか一方の部材の他方の部材との対向面には、前記他方の部材に達するが前記他方の部材を貫通しない長さを有する円筒状リブが設けられ、前記他方の部材の前記一方の部材との対向面には、前記円筒状リブが挿入される円形の溝が設けられていることを特徴とする。
【発明の効果】
【００１１】
本発明によれば、リールロックのピボット部とリリースパッドの摺接面との摺接部分を囲む空間が形成されるため、使用時に発生した磨耗粉が上記空間外へと飛散するのを抑制し、磨耗粉の記録テープへの付着を軽減できる。
【図面の簡単な説明】
【００１２】
【図１】本発明のテープカートリッジの一例を示す分解斜視図である。
【図２】図１のテープカートリッジのケースの外観図である。
【図３】図１に示すテープカートリッジの断面図である。
【図４】リールロックとリリースパッドの摺接状態を示す拡大断面図である。
【図５】リールロックの円筒状リブとリリースパッドの溝との関係を示す一部拡大断面図である。
【図６】従来のテープカートリッジの一例を示す断面図である。
【発明を実施するための形態】
【００１３】
以下、本発明の実施形態について、図面を参照しながら説明する。各図において共通する部分には同一の符号を付し、重複する説明は省略することがある。図１は、本発明のテープカートリッジの一例を示す分解斜視図である。図２は、図１に示すテープカートリッジのケースの外観図である。図３は、図１のテープカートリッジの断面図である。図４は、リールロックとリリースパッドの摺接状態を示す拡大断面図である。図５は、リールロックの円筒状リブとリリースパッドの溝との関係を示す一部拡大断面図である。
【００１４】
本実施形態のテープカートリッジは、図１に示すように、上ケース１、板バネ２、弾性部材としてのリールバネ３、リールロック４、リリースパッド６、テープリール３０、インサート金具９、ドアバネ１０、ライトプロテクト１１、ドア１２、下ケース１３、カートリッジメモリ１４、ネジ１５、板バネ１６、クランプ１７、及びリーダピン１８を備えている。
【００１５】
上ケース１及び下ケース１３は、図１に示すように、一主面が開口された中空の直方体形状に形成されている。このような形状の上ケース１及び下ケース１３を、互いの周壁部分で当接させ、これらをネジ１５により接合させると、図２に示すような箱状体のケース２０が形成される。図２において、矢印２１はカートリッジ挿入方向を示している。ケース２０の内部に形成された空間には、図１のテープリール３０が回転可能に収納される。上ケース１の下ケース１３との対向面の中央部には、図３に示すように、十字型の突起１ａが一体成形されている。
【００１６】
テープリール３０は、図１に示すように、記録テープが巻回される有底円筒状のハブ８ａと、ハブ８ａの底部の内側面（上ケース１側の主面）に形成されたロック歯８ｂと、ハブ８ａの両端部の各々から径方向に張り出された円盤状の一対の上下フランジ７、８とを有する。ハブ８ａ及びロック歯８ｂは、下フランジ８と一体成形されている。ハブ８ａの底部の外側面（下ケース１３側の主面）には、図３に示すように、ドライブ装置の駆動ギア（図示せず）と噛合可能なリールギア１９が形成されている。リールギア１９は、下ケース１３の中央部に設けられた開口１３ａ（図１参照）からケース２０外に露出されている。ハブ８ａの内側の空洞部分には、図３に示すように、リールバネ３、リールロック４及びリリースパッド６が収容されている。
【００１７】
リールロック４は、ハブ８ａの内部空間に、テープリール３０の中心軸方向に移動可能なように配置されている。このリールロック４は、図１に示すような有底円筒状に形成されており、内側の空洞部分には、上ケース１の突起１ａが挿入される係止溝５が設けられている。図３に示すように、係止溝５に上ケース１の突起１ａを挿入することにより、リールロック４は回転不能でかつテープリール３０の中心軸方向のみに移動可能なように設置される。
【００１８】
リールロック４の底部の外側面（リリースパッド６との対向面）には、図３及び図４に示すように、ピボット部４ａ、円筒状リブ４ｂ及びロック歯４ｃが設けられている。ピボット部４ａ、円筒状リブ４ｂ及びロック歯４ｃは、リールロック４と一体成形されている。ピボット部４ａは球面状で、リールロック４の底部の外側面の中央部に形成されている。円筒状リブ４ｂは略円筒状で、ピボット部４ａの周囲に形成されている。この円筒状リブ４ｂの高さは、リールロック４のリリースパッド６との対向面とリリースパッド６のリールロック４との対向面との距離よりも長く、リリースパッド６を貫通しない長さに設定すれば良い。ここでは、円筒状リブ４ｂの先端形状は半球状とした。ロック歯４ｃは、リールロック４の底部の外側面の外周部に形成されている。このロック歯４ｃを下フランジ８のロック歯８ｂと噛合させると、テープリール３０の回転をロックできる。
【００１９】
リリースパッド６は、リールロック４とハブ８ａの底部との間にテープリール３０の中心軸方向に移動可能なように配置されている。このリリースパッド６は、図１に示すように、円盤状板と、円盤状板から放射状に等間隔で突出されている３本の腕６ｄとが一体に形成されたものであり、各腕６ｄの先端部は下向き（下ケース１３側）に折れ曲がった形状をしている。なお、図１では、図４に示す溝６ｂ及び円筒状リブ６ｃは図示していない。リリースパッド６の円盤状板の上面（上ケース１側）の中央部には、図１、図３及び図４に示すように、凸状の摺接面６ａが形成されている。摺接面６ａは、リールロック４のピボット部４ａと当接する部分である。摺接面６ａの周囲には、図４に示すように、リールロック４の円筒状リブ部４ｂが挿入される円形の溝６ｂが設けられる。溝６ｂの形状は、円筒状リブ４ｂの先端と同形状（ここでは、半球状）とした。溝６ｂの外周側でかつ溝６ｂに隣接する位置には、図３及び図４に示すように、円筒状リブ６ｃが設けられる。溝６ｂの外周部と円筒状リブ６ｃの内周部は連続している。円筒状リブ６ｃの高さは、リールロック４のリリースパッド６との対向面に達しないように設定される。この際、長期に渡るテープカートリッジの使用により、リールロック４とリリースパッド６との摺接部分が磨耗し、リールロック４のリリースパッド６との対向面と、リリースパッド６のリールロック４との対向面との距離が縮小した場合でも円筒状リブ６ｃの先端がリールロック４と接触しないように十分なゆとりを持たせるように設定する。接触すると、磨耗粉が発生するからである。
【００２０】
なお、円筒状リブ４ｂ及び溝６ｂは、リールロック４のロック歯４ｃより内側でリリースパッド６の摺接面６ａより外側に配置されていれば良い。円筒状リブ４ｂの幅は、最大で図４に示す幅Ｌまで設定可能であり、摺接面６ａの幅は、円筒状リブ４ｂに接触しない範囲内で設定可能である。
【００２１】
次に、テープカートリッジのリールロックとリリースパッドの動作について図３及び図４を用いて説明する。
【００２２】
テープカートリッジの不使用時には、図３に示すように、リールバネ３によってリールロック４がハブ８ａの底部側（下ケース１３側）に押圧され、リールロック４はテープリール３０を下ケース１３側に押圧する。このとき、リールロック４のロック歯４ｃと下フランジ８のロック歯８ｂが係合するため、テープリール３０は回転しないようにロックされる。
【００２３】
テープカートリッジの使用時には、ドライブ装置の駆動ギア（図示せず）を下ケース１３の中央部に設けられた開口１３ａ（図１参照）からケース２０内に挿入し、このドライブ装置の駆動ギア（図示せず）とリールギア１９とを互いに噛合させ、駆動ギア１９と噛合した状態でリールギア１９をハブ８ａの開口側（上ケース１側）へ押し上げると、まず、リリースパッド６及びリールロック４がハブ８ａの開口側へ移動してテープリール３０が上ケース１側へと押し上げられ、さらに上記リールギア１９をハブ８ａの開口側へと押し上げると、リールロック４のロック歯４ｃと下フランジ８のロック歯８ｂとが離れ、テープリール３０のロックが解除される。そして、ドライブ装置の駆動ギア（図示せず）をリールギア１９に噛合させた状態で回転駆動させると、テープリール３０がリリースパッド６と共に回転し、ハブ８ａの外周面に記録テープが巻回され、あるいは、ハブ８ａの外周面に巻回された記録テープが巻き戻される。
【００２４】
ところで、テープカートリッジの使用時において、テープリール３０の回転により、リールロック４とリリースパッド６との摺接部分が磨耗し、磨耗粉が発生する。しかし、本実施形態では、図３及び図４に示すように、リールロック４の円筒状リブ４ｂの先端部をリリースパッド６の円形の溝６ｂに挿入することにより、リールロック４とリリースパッド６との摺接部分を囲む空間が形成され、発生した磨耗粉が上記空間外へと飛散するのを抑制できる。また、円筒状４ｂの先端部が溝６ｂに挿入されているため、使用の際にリリースパッド６の位置ずれを防止でき、リール走行性の安定を図れる。また、本実施形態では、円筒状リブ４ｂの先端部とリリースパッド６の溝６ｂとの間には、図５に示すように、クリアランス（間隙）が設けられており、このクリアランスを埋めるためグリスなどの潤滑剤を塗布する。これにより、上記空間が密閉されるため、リールロック４のピボット部４ａとリリースパッド６の摺接面６ａとの摺接により発生した磨耗粉が上記空間外へと飛散するのを防止できるとともに、リールロック４の円筒状リブ４ｂとリリースパッド６の溝６ｂとの接触による磨耗粉の発生を防止できる。クリアランスは、０ｍｍより大きく１ｍｍ以内で設定できる。さらに、本実施形態では、リリースパッド６の溝６ｂの外周側でかつ溝６ｂに隣接する位置に円筒状リブ６ｃを設けているため、テープカートリッジの長期に渡る使用によりリールロック４の円筒状リブ４ｂとリリースパッド６の溝６ｂとの間に隙間が生じたとしても円筒状リブ６ｃが壁となり、上記磨耗粉が円筒状リブ６ｃの外側に飛散するのを抑制できる。
【００２５】
なお、上記実施形態では、円筒状リブ４ｂがリールロック４に形成され、溝６ｂがリリースパッド６に形成される場合について説明したが、円筒状リブ４ｂがリリースパッド６に、溝６ｂがリールロック４に形成されていてもよく、リールロック４とリリースパッド６との摺接部分を囲む形状であれば上記実施形態に限定されるものではない。
【００２６】
また、上記実施形態では、ピボット部４ａがリールロック４に形成され、摺接面６ａがリリースパッド６に形成される場合について説明したが、ピボット部４ａがリリースパッド６に形成され、摺接面６ａがリールロック４に形成されていてもよい。
【００２７】
また、上記実施形態では、円筒状リブ４ｂの先端の形状は半球状とし、溝６ｂの形状はリブ４ｂの先端と同形状としたが、円筒状リブ４ｂと溝６ｂとが嵌合可能であれば、これに限定されない。
【００２８】
さらに、上記実施形態では、ケース２０内に単一のテープリール３０を収納する単リール型のテープカートリッジとしたが、本発明は複数のテープリールを収納する複リール型のテープカートリッジにも適用可能である。
【産業上の利用可能性】
【００２９】
本発明のテープカートリッジは、例えば、記録再生装置等に利用可能である。
【符号の説明】
【００３０】
１  上ケース
１ａ  突起
２  板バネ
３  リールバネ
４  リールロック
４ａ  ピボット部
４ｂ  円筒状リブ
４ｃ  ロック歯
５  係止溝
６  リリースパッド
６ａ  摺接面
６ｂ  溝
６ｃ  円筒状リブ
６ｄ  腕
７  上フランジ
８  下フランジ
８ａ  ハブ
８ｂ  ロック歯
９  インサート金具
１０  ドアバネ
１１  ライトプロテクト
１２  ドア
１３  下ケース
１３ａ  開口
１４  カートリッジメモリ
１５  ネジ
１６  板バネ
１７  クランプ
１８  リーダピン
１９  リールギア
２０  ケース
２１  カートリッジ挿入方向
３０  テープリール
１００  ケース
１０１  上ケース
１０２  下ケース
１０３  リールバネ
１０４  リールロック
１０４ａ  ピボット部
１０４ｂ  ロック歯
１０６  リリースパッド
１０６ａ  摺接面
１０７  リールギア
１１０  テープリール
１１１  上フランジ
１１２  下フランジ
１１２ａ  ハブ
１１２ｂ  ロック歯
【図１】
2010198683.tif 000003
【図２】
2010198683.tif 000004
【図３】
2010198683.tif 000005
【図４】
2010198683.tif 000006
【図５】
2010198683.tif 000007
【図６】
2010198683.tif 000008